(57)【要約】【課題】始動口への入球により羽根が開作動し、入球した遊技球がＶ入賞と通常入賞とに振り分けられる役物装置の付加価値を簡単な構成で高める。【解決手段】羽根５１ａ，５１ｂが閉状態のときには、役物装置２３の上方から流下する遊技球を取込口２３１ａ，２３１ｂの上方で遮る屋根部４２と、羽根５１ａ，５１ｂとでなる遊技球溜まり２３０２に遊技球が溜まる。羽根５１ａ，５１ｂの開作動により、遊技球溜まり２３０２から左右方向に溢れた遊技球を羽根５１ａ，５１ｂが取込口２３１ａ，２３１ｂに案内する。羽根５１ａ，５１ｂの開作動の条件である始動口を狙うに先立って、予め遊技球溜まり２３０２に遊技球を溜めておくという、奥行きのある遊技を遊技者が選択できる。羽根５１ａ，５１ｂを遊技球溜まり２３０２の一部分とすることで、その開作動のみで遊技球を溢れさせる。【選択図】        図２
2004305633.tif 000002
【特許請求の範囲】
【請求項１】
遊技盤の盤面上を流下する遊技球が取込口から入球すると所定の遊技上の効果を生じさせる入球装置として、上記取込口を挟んで左右に球拾片が設けられ、所定の条件が成立すると拾球片が基準状態から左右の外方に変位して、流下する遊技球を拾って上記取込口に案内する機能とともに、上記取込口から取り込まれた遊技球を所定の遊技上の特典を付与する当たり球と非当たり球とに振り分ける機能を有する役物装置を設けた弾球遊技機において、
上記役物装置に、その上方から流下した遊技球が溜まる遊技球溜まりを設け、
該遊技球溜まりは、上記拾球片が、上記基準状態にあるときには上記遊技球溜まりの一部分として遊技球溜まりに貯留した遊技球の落球を禁止し、上記拾球片が上記左右の外方に変位すると上記一部分が開いて、上記遊技球溜まりに滞留した遊技球を上記取込口へ向けて放出する構造としたことを特徴とする弾球遊技機。
【請求項２】
請求項１記載の弾球遊技機において、上記役物装置は、流下する遊技球を上記取込口の上方で遮る上記役物装置の屋根部の下の左右の側方のみから上記取込口への入球が許容される構造であり、
上記拾球片は、基準状態から逆ハ字状に左右に開作動する１対の揺動片により構成して、開作動した状態では上方から流下する遊技球を上記取込口に案内するようにし、かつ、上記基準状態の上記揺動片の先端部が上記屋根部の左右端で上記屋根部よりも上方に突出する形状として、上記遊技球溜まりとして、上記揺動片の先端部が屋根部上に落下した遊技球をせき止める構造の遊技球溜まりが形成されるようにした弾球遊技機。
【請求項３】
請求項２記載の弾球遊技機において、上記屋根部と上記揺動片とは、これらが相対運動して、基準状態のときに上記遊技球溜まりの堰高さ若しくは底面積が可変な構造とし、上記遊技球溜まりの遊技球の最大貯留数を調整自在とした弾球遊技機。
【請求項４】
請求項２記載の弾球遊技機において、上記屋根部は、上に山形に傾斜する構造とした弾球遊技機。
【請求項５】
請求項１記載の弾球遊技機において、上記役物装置は、流下する遊技球を上記取込口の上方で遮る上記役物装置の屋根部の下の左右の側方のみから上記取込口への入球が許容される構造であり、
上記拾球片は、基準状態から上記屋根部の下方を左右外方に直線的に開作動する１対のスライド片により構成して、開作動した状態では遊技球を上記取込口に案内するようにし、かつ、上記スライド片の先端部に上向きに凸状段差を形成して、基準状態のときに、上記遊技球溜まりとして、上記スライド片の凸状段差と上記屋根部とが上記スライド片上に落下した遊技球をせき止める構造の遊技球溜まりが形成されるようにした弾球遊技機。
【請求項６】
請求項５記載の弾球遊技機において、上記屋根部の左右端部には、上記スライド片の一部を覆う面積が自在な庇部を設けた弾球遊技機。
【請求項７】
請求項１記載の弾球遊技機において、上記役物装置は、流下する遊技球を上記取込口の上方で遮る上記役物装置の屋根部の下の左右の側方のみから上記取込口への入球が許容される構造であり、
上記屋根部の側方に、該屋根部の側面と対向し、該屋根部側面との間を遊技球が通過可能な間隔をとって左右方向の内側と外側とを画する仕切り部を設け、
上記拾球片は、基準状態から逆ハ字状に左右に開作動する１対の揺動片により構成して、開作動した状態では上方から流下する遊技球を上記取込口に案内するようにし、かつ、上記基準状態の上記揺動片の先端部が、上記仕切り部と上記屋根部との対向部の直下位置に達する形状として、上記遊技球溜まりとして、上記揺動片の先端部が上記仕切り部と上記屋根部との間の遊技球を下から受ける構造の遊技球溜まりが形成されるようにした弾球遊技機。
【発明の詳細な説明】
【０００１】
【発明の属する技術分野】
本発明は弾球遊技機の遊技の興趣の向上に関する。
【０００２】
【従来の技術】
弾球遊技機は、遊技者による発射ハンドルの操作で遊技盤の盤面上に遊技球を発射する遊技機であり、遊技球として直径１１ｍｍ程度の鉄製の球を用いるパチンコ機等が広く普及している。遊技盤の盤面上に発射された遊技球は、盤面に多数打設された遊技釘で弾かれて不規則に運動しながら落下していき、一部の遊技球が盤面上に設けられた入球装置に入球するようになっている。遊技球は入球装置の取込口から取り込まれると内部に設けられた遊技球検出スイッチ等により検出されて入賞となり、賞球として遊技球が払い出される等、遊技上の入球の効果が発生する。
【０００３】
かかる入球装置には単に取込口を有するだけの単純な構造のものの他、役物装置（または単に役物）と称される、弾球遊技機の性格を規定する入球装置がある。かかる役物装置として、例えば、所定の入球口への入球等を条件として、取込口を挟んで左右に設けられた球拾片が基準状態から左右の外方に変位して、流下する遊技球を拾って上記取込口に案内する機能とともに、上記取込口から取り込まれた遊技球を所定の遊技上の特典を付与する当たり球と非当たり球とに振り分ける機能を有するものがある。遊技球の振り分けは、遊技球が所定の特別領域（Ｖゾーン、Ｖ入賞口）を通ると当たり球となるようにしたものが広く知られている。
【０００４】
下記の特許文献１には、役物装置のハウジングを透明な部材により構成して、入球した遊技球がＶゾーンに入るか否かを視認できるようにし、遊技の興趣を高めることを企図したものがある（特許文献１等）
【０００５】
【特許文献１】
特開２００２−９５８１３号公報
【０００６】
【発明が解決しようとする課題】
しかしながら、特許文献１のものは、１球々々について遊技者をスリリングな気分にするものであるが、ある程度の回数、遊技球を入球させることができれば、入球した遊技球の何割かはＶゾーンに入っていく。また、Ｖゾーンに入らなくとも一定の賞球の払い出しは受けることができるようにした遊技機も多く存在する。このため、遊技者が比較的運がよかったとか、悪かったといっても両者の間に劇的な差は生じず、遊技者に与える興趣も十分とはいえない。一方、徒に複雑な仕掛けとするのは、コスト的にも受け入れられず、弾球遊技の軽快感をも損ねる。
【０００７】
本発明は上記実情に鑑みなされたもので、簡単な構成で、遊技者が真にスリリングな遊技を堪能することのできる弾球遊技機を提供することを目的とする。
【０００８】
【課題を解決するための手段】
請求項１記載の発明では、遊技盤の盤面上を流下する遊技球が取込口から入球すると所定の遊技上の効果を生じさせる入球装置として、上記取込口を挟んで左右に球拾片が設けられ、所定の条件が成立すると拾球片が基準状態から左右の外方に変位して、流下する遊技球を拾って上記取込口に案内する機能とともに、上記取込口から取り込まれた遊技球を所定の遊技上の特典を付与する当たり球と非当たり球とに振り分ける機能を有する役物装置を設けた弾球遊技機において、
上記役物装置に、その上方から流下した遊技球が溜まる遊技球溜まりを設け、
該遊技球溜まりは、上記拾球片が、上記基準状態にあるときには上記遊技球溜まりの一部分として遊技球溜まりに貯留した遊技球の落球を禁止し、上記拾球片が上記左右の外方に変位すると上記一部分が開いて、上記遊技球溜まりに滞留した遊技球を上記取込口へ向けて放出する構造とする。
【０００９】
拾球片が基準状態から変位したときに遊技球溜まりに遊技球があれば、それが当たり球となる可能性を有する。また、遊技球溜まりに複数の遊技球があれば、それらは散発的に取込口から入球するのではなく、ある程度連続して取込口に入球していくから、当たり球となる可能性にも影響を与える。これは、拾球片の開時間が長くなったのと同等以上の効果ということができる。したがって、拾球片が基準状態にあり入球が実質的に禁止されている間でも、遊技球溜まりを狙って遊技球を発射し、遊技球を溜めておくという遊技をすることができる。すなわち、従来、拾球片が基準状態から変位するまでは拾球片の開作動の条件となる入球口を狙うだけの遊技から、該入球口を狙うのに先立って、役物装置の遊技球溜まりを狙って遊技球溜まりに遊技球を貯留させておくという、奥行きのある遊技を楽しむことができる。ベテランの遊技者にとっては腕の見せ所であり、初心者にとっては、偶々、遊技球溜まりで滞留している遊技球が拾球片の開作動によって当たり球となる意外性を堪能することができる。
【００１０】
拾球片の開作動だけで、流下する遊技球の上記取込口への案内と、遊技球溜まりからの遊技球の落下とが可能となり、それまでに溜まった遊技球が堰を切って取込口に殺到する。ダイナミックな遊技球の流れで遊技者を引きつけ、遊技者の挑戦意欲をかき立てることができる。
【００１１】
このように遊技者はスリリングな遊技を堪能することができる。また、拾球片の開作動させるだけでよいから、構成がシンプルで、費用効果の点で優れたものとなる。
【００１２】
請求項２記載の発明では、請求項１の発明の構成において、上記役物装置は、流下する遊技球を上記取込口の上方で遮る上記役物装置の屋根部の下の左右の側方のみから上記取込口への入球が許容される構造であり、
上記拾球片は、基準状態から逆ハ字状に左右に開作動する１対の揺動片により構成して、開作動した状態では上方から流下する遊技球を上記取込口に案内するようにし、かつ、上記基準状態の上記揺動片の先端部が上記屋根部の左右端で上記屋根部よりも上方に突出する形状として、上記遊技球溜まりとして、上記揺動片の先端部が屋根部上に落下した遊技球をせき止める構造の遊技球溜まりが形成されるようにする。
【００１３】
揺動片が開作動すると、それまでに遊技球溜まりに溜まった遊技球は、屋根部を左右の外方に向かって流れて揺動片に到り、そこで反転して左右方向の内方に向かって取込口に殺到する。遊技球の流れが途中で大きく向きを変えるので、より遊技者を引きつけることができる。
【００１４】
請求項３記載の発明では、請求項１または２の発明の構成において、上記屋根部と上記揺動片とは、これらが相対運動して、基準状態のときに上記遊技球溜まりの堰高さ若しくは底面積が可変な構造とし、上記遊技球溜まりの遊技球の最大貯留数を調整自在とする。
【００１５】
遊技球の最大貯留数を調整自在とすることで、遊技者が受ける利益や、揺動片の開作動時の演出効果を調整することができる。
【００１６】
また、屋根部と揺動片との相対位置から、遊技球溜まりに溜まり得る遊技球の多少を遊技者が容易に視認することができるから、遊技中に種々の条件に応じて最大貯留数を増減するようにすれば、さらに遊技の奥行が増す。
【００１７】
請求項４記載の発明では、請求項２の発明の構成において、上記屋根部は、上に山形に傾斜する構造とする。
【００１８】
揺動片の開作動により屋根部から遊技球が落下するときの速度を変化させたり、遊技球溜まりからの落下を禁止させたりすることができ、演出効果を高めることができる。
【００１９】
屋根部の傾斜を変化させるするだけでよいから、簡単に実施することができる。
【００２０】
請求項５記載の発明では、請求項１の発明の構成において、上記役物装置は、流下する遊技球を上記取込口の上方で遮る上記役物装置の屋根部の下の左右の側方のみから上記取込口への入球が許容される構造であり、
上記拾球片は、基準状態から上記屋根部の下方を左右外方に直線的に開作動する１対のスライド片により構成して、開作動した状態では遊技球を上記取込口に案内するようにし、かつ、上記スライド片の先端部に上向きに凸状段差を形成して、基準状態のときに、上記遊技球溜まりとして、上記スライド片の凸状段差と上記屋根部とが上記スライド片上に落下した遊技球をせき止める構造の遊技球溜まりが形成されるようにする。
【００２１】
上記揺動片が開作動する構造の役物装置とは全く異なる全体形状の役物装置とすることができ、請求項１の発明を適用した製品のバリエーションが広がる。
【００２２】
請求項６記載の発明では、請求項５の発明の構成において、上記屋根部の左右端部には、上記スライド片の一部を覆う面積が自在な庇部を設ける。
【００２３】
庇部によりスライド片上に落下するのを阻害されるから、庇部を、これがスライド片の一部を覆う面積が自在とすることで、出球を調整することができる。
【００２４】
請求項７記載の発明では、請求項１の発明の構成において、上記役物装置は、流下する遊技球を上記取込口の上方で遮る上記役物装置の屋根部の下の左右の側方のみから上記取込口への入球が許容される構造であり、
上記屋根部の側方に、該屋根部の側面と対向し、該屋根部側面との間を遊技球が通過可能な間隔をとって左右方向の内側と外側とを画する仕切り部を設け、
上記拾球片は、基準状態から逆ハ字状に左右に開作動する１対の揺動片により構成して、開作動した状態では上方から流下する遊技球を上記取込口に案内するようにし、かつ、上記基準状態の上記揺動片の先端部が、上記仕切り部と上記屋根部との対向部の直下位置に達する形状として、上記遊技球溜まりとして、上記揺動片の先端部が上記仕切り部と上記屋根部との間の遊技球を下から受ける構造の遊技球溜まりが形成されるようにする。
【００２５】
上記揺動片が開作動する構造であっても請求項２の発明を構成する役物装置とは全く異なる遊技球溜まり形状の役物装置とすることができ、請求項１の発明を適用した製品のバリエーションが広がる。
【００２６】
【発明の実施の形態】
（第１実施形態）
本発明の好適な実施の形態を図面にしたがって説明する。図１に本発明の弾球遊技機を示す。弾球遊技機１ａには図示しないプリペードカードユニットが１つずつ併設され、遊技場に複数列レイアウトされる遊技機設置島には、弾球遊技機１ａとプリペードカードユニットとが交互に配置される。弾球遊技機１ａは、長方形の外枠１１１と前面枠１１２とを有しており、外枠１１１にて遊技機設置島に固定される。前面枠１１２は、外枠１１１の前面に位置し、上側の横辺部には枠飾り１１９が取り付けられている。また、前面枠１１２は、左端上下のヒンジ１１５ａ，１１５ｂにより外枠１１１に対し水平方向に回動自在に取り付けられており、前面枠１１２と一体化している各部をメンテナンス時等に手前側に出すことが可能である。
【００２７】
前面枠１１２の内側には、前面枠１１２の高さ方向の上側略２／３の大きさをカバーする金枠１１３が取り付けられ、金枠１１３の左側を支軸にして金枠１１３の内周を縁取るガラス枠１１４が開閉可能に蝶着される。ガラス枠１１４は、前面枠１１２の右側縦片部の鍵飾り１１８に設けられた鍵穴１１７での鍵操作で閉鎖される。ガラス枠１１４には図示しないガラス板が二重に装填されている。該ガラス板の奥側で前面枠１１２の内側には遊技盤１５が収納され、ガラス板を挟んで遊技者と対向するようになっている。
【００２８】
前面枠１１２の内側にはまた、金枠１１３の下方にバスタブ状の上受け皿１２１と灰皿１２５付きの下受け皿１２３とが手前側に突出して設けられている。直接遊技球を受ける上受け皿１２１の本体部にはエボナイド等の汚れのつきにくいものが用いられる。
【００２９】
上受け皿１２１の左側には、手前向きに、上記プリペードカードユニットの挿入口に挿入されたプリペードカードにより遊技球の貸し出しを受ける場合に押下する貸出ボタン１３１および精算する場合の返却ボタン１３２が設けられている。また、プリペードカードの残高を表示する残高表示部１３３が設けてある。
【００３０】
下受け皿１２３には、上受け皿１２１満杯時の溢れ球が流入するとともに、発射し損ねた戻り球が貯留するようになっている。また、遊技者が球抜きボタン１２２を操作することにより、下受け皿１２３が上受け皿１２１と連通するようになっており、上受け皿１２１の遊技球を下受け皿１２３に移動することが可能である。また、下受け皿１２３が遊技球で満杯となった時には、球抜きレバー１２４の操作により下受け皿１２３の底面が開口して下受け皿１２３の下方に排出可能であり、遊技球を図示しない別箱に移すことができる。
【００３１】
下受け皿１２３の右側には発射ハンドル１４１が設けられており、遊技者が回動リング１４２を時計方向に回動すれば、上受け皿１２１から供給される遊技球を後述する遊技盤１５の盤面１５０上に発射することができる。
【００３２】
遊技盤１５は略正方形の盤で、盤面１５０に、レール３１，３２により略円形の遊技領域が形成される。その下部には３つのオープンチャッカー２１，２２ａ，２２ｂが横方向に配置されている。オープンチャッカー２１，２２ａ，２２ｂは一般的な入賞装置と同様の構造のもので、内部に入球した遊技球を検出するスイッチ（以下、適宜、オープンチャッカー２１のものをオープンチャッカー１スイッチといい、オープンチャッカー２２ａ，２２ｂのものをオープンチャッカー２スイッチという）が配置されている。オープンチャッカー２１とオープンチャッカー２２ａ，２２ｂとでは後述するように遊技上の効果が相違する。オープンチャッカー２１，２２ａ，２２ｂの斜め上方で上記遊技領域の周縁部には、左右対称に入賞装置である普通入賞口２４ａ，２４ｂが配置され、入球時には賞球の払い出しのみが実行される。また、上記遊技領域の中央には、第２種遊技機の特徴部分である役物装置２３が設けてある。
【００３３】
図２に役物装置２３の正面からの外観を示し、図３にその要部の内部構造を示す。役物装置２３は、２つの取込口２３１ａ，２３１ｂを経て後述するＶ入賞口５２１または通常入賞口５２２に入球すると入賞となる入賞装置であり、Ｖ入賞口５２１に入球すれば当たりとなる。役物装置２３は、そのハウジング２３１の上下方向略１／２の位置に略水平に板状のフロア部４１が設けられ、その奥に、上記取込口２３１ａ，２３１ｂが手前に向けて開口している。
【００３４】
フロア部４１の下方には円盤状の回転体５２が設けられている。ハウジング２３１は回転体５２の手前側部分が透明で、回転体５２が容易に視認可能である。回転体５２は、その回転軸を鉛直方向に対してやや手前方向に傾げて、図示しないモータ（以下、適宜、回転体モータという）と結合してあり、図例のように回転体５２の側面が手前側でやや下がっている。回転体５２の外周は、１個の遊技球が余裕を以て流通可能な環状の遊技球通路４４となっている。該環状遊技球通路４４も手前側で下がっており、遊技球は奥側から手前側に向かって流下する。環状遊技球通路４４の最上流部には上記取込口２３１ａ，２３１ｂに通じる遊技球通路４３の下流端が開口しており、環状遊技球通路４４への入口２３２となっている。環状遊技球通路４４の底面４４１には、回転体５２側の側縁に沿って凸条４４２が形成されており、遊技球は環状遊技球通路４４の最下流まで流下する。上記凸条４４２は、環状遊技球通路４４の最下流部で、遊技球の直径よりもやや長い範囲が非形成としてある。
【００３５】
上記回転体５２の側面には回転体５２の周方向に等間隔に複数の遊技球の流入口が開口しており、入賞口５２１，５２２としてある。その一部はＶ入賞口５２１であり、所定の特典が付与される。残りは通常入賞口５２２である。入賞口５２１，５２２が上記凸条非形成の環状遊技球通路４４最下流部にきたときだけ、遊技球が入球可能となる。上記取込口２３１ａ，２３１ｂから取り込まれた遊技球はすべて遊技球通路４３を経て環状遊技球通路４４に流入するので、入賞は確実であるが、入球のタイミングにより、Ｖ入賞口５２１に入球する場合と通常入賞口５２２に入球する場合とに振り分けられることになる。確率的には、多数形成された通常入賞口５２２に入球する場合が覆いのは勿論である。遊技者は自己の技能と運とを拠り所として、Ｖ入賞口５２１を狙っていくことになる。
【００３６】
Ｖ入賞口５２１への入球はこれを検出する遊技球検出スイッチ（Ｖスイッチ）により検出される。また、役物装置２３には、入賞口５２１，５２２に入球した遊技球のすべてを検出する遊技球検出スイッチ（カウントスイッチ）が設けられており、入賞した遊技球の数が知られるようになっている。かかる構成は通常の役物装置と同様の構成となっている。
【００３７】
また、取込口２３１ａ，２３１ｂの上方には屋根部４２が設けられており、役物装置２３の上方から落下した遊技球を遮るようになっている。屋根部４２は、概略上部が山形の正面視五角形状のもので、ハ字状の上面（以下、屋根面という）４２０１が左右端ほど下がる傾斜面となっている。屋根部４２の幅は略フロア部４１の幅と同程度である。屋根部４２の左右方向の中央部にはドットマトリックスユニット６４２が表示面を手前に向けて取り付けられており、決定ラウンド数などを表示する。
【００３８】
フロア部４１の左右方向の外側には取込口２３１ａ，２３１ｂを左右方向に挟んで互いに対向する揺動片である羽根５１ａ，５１ｂが設けてある。羽根５１ａ，５１ｂは先端ほど肉薄の舌片状部材で、基端部がフロア部４１の左右端の近傍に位置しており、上記下端部を中心にしてソレノイド（以下、適宜、大入賞口ソレノイドという）７２１駆動で揺動自在である。羽根５１ａ，５１ｂが、鉛直上方を向いた基準状態から下側に位置する上記基端部に回転軸Ｃａ，Ｃｂをとって左右の外方に略６０°開作動し、逆ハ字状に変化する。羽根５１ａ，５１ｂは、上記基準状態のときには、屋根面４２０１左右端と実質的に当接し、フロア部４１と屋根部４２との間の空間（以下、適宜、取込口前庭部という）２３０１が、役物装置２３の外側と遮断される。この状態では遊技球が役物装置２３の外側から取込口前庭部２３０１に飛び込むことができず、取込口２３１ａ，２３１ｂへの入球が禁止される。一方、羽根５１ａ，５１ｂが開作動した状態では、屋根部４２と羽根５１ａ，５１ｂとの間に遊技球が通過可能な隙間が形成されて、上記取込み前庭部２３０１へと遊技球が飛び込む。また開状態の羽根５１ａ，５１ｂが左右方向に突出変位することで羽根５１ａ，５１ｂの上向きの面に沿って遊技球が案内されるから、取込口前庭部２３０１への入球が容易となる。
【００３９】
また、羽根５１ａ，５１ｂは先端部５１１ａ，５１１ｂが屋根面４２０１の左右端で屋根面４２０１よりも突出する長さを有し、上記基準状態では、上記先端部５１１ａ，５１１ｂが、屋根面４２０１に落下して左右端方向に流下する遊技球をせき止める堰となる。このように、屋根部４２と羽根５１ａ，５１ｂとは、羽根５１ａ，５１ｂが基準状態にあるときに、遊技球を溜める遊技球溜まり２３０２となっている。
【００４０】
遊技盤盤面１５０には全体に多数の遊技釘３３、風車３４等が設けられる。発射ハンドル１４１の操作で上記遊技領域の天部へと発射された遊技球が遊技釘３３で弾かれたり、風車３４で進路を変えられたりしながら不規則な経路をとって下方へ流れていく。そして、入賞装置２１〜２４ｂに入球すれば入賞となって遊技球が払い出され、入賞することなく上記遊技領域の最下部に達した遊技球はアウト口３６から取り込まれる。
【００４１】
上記遊技領域の外縁部には左右にサイドランプ３５ａ，３５ｂが設けられ、遊技中の装飾効果を発揮する。さらに、スピーカ７２９から遊技の進行に合わせて音を発生させて、遊技中の臨場感を高めている。
【００４２】
図４は本弾球遊技機１ａの電気的構成を示すもので、主制御装置６１は、遊技制御プログラムを記憶したＲＯＭおよび演算等の作業領域として働くＲＡＭを内蔵した８ビットワンチップマイクロコンピュータを中心とした論理演算回路として構成され、各部の副制御装置６２〜６６、上記遊技球検出スイッチなどの各種スイッチ類７１１〜７１８および各種アクチュエータ類７２１，７２２との入出力を行うための外部入出力回路も設けられている。
【００４３】
主制御装置６１が信号入力を受ける各種スイッチ類７１２〜７１８について説明する。
【００４４】
満タンスイッチ（図中、スイッチをＳＷと記載している。以下、同じ）７１１は下受け皿１２３に通じる図示しない遊技球通路内に設けられた圧力センサであり、下受け皿１２３が遊技球で満タン状態になったことを検知する。補給スイッチ７１２は図示しない球タンクに設けられた圧力センサであり、球タンク内に遊技球が不足していることを検知する。
【００４５】
タッチスイッチ７１３は発射ハンドル１４１を遊技者が操作中であることを検出する。
【００４６】
オープンチャッカー１スイッチ７１４はオープンチャッカー２１に入球したことを検出し、オープンチャッカー２スイッチ７１５ａはオープンチャッカー２２ａに入球したことを検出し、オープンチャッカー２スイッチ７１５ｂはオープンチャッカー２２ｂに入球したことを検出する。
【００４７】
Ｖスイッチ７１６は前記のごとくＶ入賞口５２１に入球したことを検出する。カウントスイッチ７１７はＶ入賞口５２１および通常入賞口５２２に入球したすべての遊技球について入球したことを検出する。
【００４８】
賞球払い出しスイッチ７１８は図示しない賞球払出装置から払い出される遊技球をカウントする。
【００４９】
主制御装置６１により駆動されるアクチュエータ類７２１，７２２について説明する。大入賞口ソレノイド７２１は羽根５１ａ，５１ｂの開閉に、回転体モータ７２２は回転体５２の回転駆動に、それぞれ使用される。オープンチャッカー２１，２２ａ，２２ｂへの入球に対して、主制御装置６１は羽根５１ａ，５１ｂを開作動する。オープンチャッカー２１への入球は羽根５１ａ，５１ｂを２回開作動する権利を発生させ、オープンアタッカー２２ａ，２２ｂへの入球は羽根５１ａ，５１ｂを１回開作動する権利を発生させる。そして、羽根５１ａ，５１ｂは、役物装置２３のＶ入賞口５２１に入球することで、大当たりとなり、所定回数のラウンドの遊技の権利が発生する。また、次ラウンドへ継続する権利を発生させる。
【００５０】
賞球制御装置６２は１チップマイクロコンピュータを用いた論理演算回路として構成されたもので、主制御装置６１と、主制御装置６１からの送信のみが許容される一方向通信を行い、主制御装置６１からの指令コマンドに従って入賞があった場合に図示しない賞球払出装置の球切モータ７２３を作動せしめて賞球の払い出しを行うとともに、上記のプリペードカードユニット１ｂおよびＣＲ精算表示装置７２４と双方向通信を行い貸し球の供給の制御を行う。球貸しの請求があると上記球切モータ７２３を作動せしめて球貸しを実行する。ＣＲ精算表示装置７２４は上記上受け皿１２１の押しボタン１３１，１３２および残高表示部１３３形成位置に内蔵され、貸出ボタン１３１の押下でオンする貸出スイッチ、返却ボタン１３２の押下でオンする返却スイッチおよび残高表示部１３３における数値表示用のＬＥＤから構成されている。
【００５１】
発射制御装置６３は、遊技者が操作する発射ハンドル１４１の回動量センサ（図中、発射ハンドル）７１９からの検出回動量に応じて図示しない発射装置を構成する発射モータ７２５を駆動制御するもので、１チップマイコンからなる。発射制御装置６３は、主制御装置６１と、主制御装置６１からの送信のみが許容される一方向通信を行う。発射制御装置６３には発射停止スイッチ７２０が接続され、遊技者により操作されると発射を一時的に停止せしめるようになっている。
【００５２】
特別図柄表示装置６４は、上記ドットマトリックスユニット６４２や、これを主制御装置６１の指令に基づいて制御する図柄制御装置６４１からなる。図柄制御装置６４１は１チップマイコン等を中心に構成されたもので、主制御装置６１と、主制御装置６１からの送信のみが許容される一方向通信を行い、主制御装置６１から、画像の表示の指令を受信すると、ドットマトリックスユニット６４２の表示面にラウンド数等の所定の画像を表示する。
【００５３】
ランプ制御装置６５は、１チップマイクロコンピュータや、ランプ出力部に短絡防止用のＩＣチップ等からなるもので、特別図柄装置６４と双方向通信を行う。ランプ制御装置６５は、特別図柄表示装置６４からの指令を受けて、装飾および報知用の各種のランプ類７２７およびＬＥＤ類７２８を点灯駆動する。
【００５４】
音制御装置６６は多数の音声データを記憶したマスクＲＯＭ内蔵の１チップマイコンと、これにより制御される音源ＩＣ、および、スピーカ出力用にアンプ等からなる音出力回路から構成されてたもので、図柄表示装置６４と双方向通信を行い、主制御装置６１の指令を受けて、録音した音源をフレーズに組み立てスピーカ７２９を駆動する。
【００５５】
また、主制御装置６１は、外部接続端子１ｃを介して、遊技場内の弾球遊技機の全体を管理する図示しないホールコンピュータと接続され、ホールコンピュータに賞球の払い出し数等の種々の遊技情報を送信するようになっている。
【００５６】
上記電気構成は、複数の基板とこれら互いに接続するフラットケーブル等の電気ケーブルにより具体化され、各装置は、一般的な弾球遊技機と同様にその背面側に配設される。
【００５７】
上記のごとく、オープンチャッカー２１，２２ａ，２２ｂへ入球しないと、役物装置２３の羽根５１ａ，５１ｂは開作動せず、従来よりオープンチャッカー２１，２２ａ，２２ｂを狙って遊技球を発射することに遊技者は腐心していた。本弾球遊技機によれば、羽根５１ａ，５１ｂが基準状態（閉状態）のときに、屋根面４２０１に落下した遊技球は該屋根部４２と羽根先端部５１１ａ，５１１ｂで構成される遊技球溜まり２３０２に溜まっていく。貯留可能な最大貯留数は遊技球溜まり２３０２の堰となる羽根先端部５１１ａ，５１１ｂの屋根面４２０１からの突出量によるが、図例のものでは最大貯留数が４個である。貯留遊技球は、羽根５１ａ，５１ｂが開作動すると、屋根面４２０１の左右端から羽根５１ａ，５１ｂ上に落下し、さらに屋根部４２と羽根５１ａ，５１ｂとの間の隙間から取込口前庭部２３０１へと飛び込む。そして、取込口２３１ａ，２３１ｂから取り込まれる。
【００５８】
したがって、遊技球溜まり２３０２に溜まってＶ入賞か否かの結果が保留状態となっている遊技球が、羽根５１ａ，５１ｂの開作動に伴って一気に羽根５１ａ，５１ｂから取込口前庭部２３０１を経て取込口２３１ａ，２３１ｂに殺到し、遊技者は、回転体５２のＶ入賞口５２１に入球するかどうかへの期待が、遊技球溜まり２３０２に溜まっていた遊技球の分、大きく、一気に膨らむことになる。このように、羽根５１ａ，５１ｂが閉じた基準状態にあり、取込口前庭部２３０１が役物装置２３の外部から遮断されている間でも、遊技球溜まり２３０２を狙って遊技球を発射し、遊技球を溜めておくという遊技をすることができる。これは、羽根５１ａ，５１ｂの開時間が長くなったのと同等の効果ということができる。従来はひたすら始動口を狙っていくだけの単調な遊技に終始していたのに対して、先ず役物装置の遊技球溜まりを狙って遊技球溜まりに遊技球を貯留させた後で始動口を狙うという、奥行きのある遊技を楽しむことができる。ベテランの遊技者にとっては腕の見せ所であり、初心者にとっては、偶々、屋根部４２の上に落下した遊技球が後で入賞をもたらす意外性を堪能することができる。
【００５９】
また、羽根先端部５１１ａ，５１１ｂが、屋根面４２０１に落下して左右端方向に流下する遊技球をせき止める堰となっているので、遊技球の取込口前庭部２３０１への入球禁止状態を解除せしめるための手段としてだけではなく、遊技球溜まり２３０２を開放する手段としても機能するので、ダイナミックな演出を実現できる。しかも、羽根５１ａ，５１ｂが開作動すると、それまでに溜まった遊技球は、屋根面４２０１を左右の外方に向かって流れて羽根５１ａ，５１ｂに到り、そこで反転して左右方向の内方に向かって取込口２３１ａ，２３１ｂに殺到する。遊技球の流れが途中で大きく向きを変えるので、より、遊技者を引きつけることができる。また、羽根５１ａ，５１ｂが上記２つの機能を果たすことで構造がシンプルなものとなる。
【００６０】
（第２実施形態）
図５（Ａ）、図５（Ｂ）、図５（Ｃ）に本発明の第２の実施形態になる弾球遊技機の役物装置を示す。また図６に本弾球遊技機の電気的構成を示し、図７に主制御装置で実行される制御フローを示す。本実施形態は、基本的な構成は第１実施形態の構成と同じであり、第１実施形態との相違点を中心に説明する。第１実施形態との相違点は役物装置の一部の構成とこれに伴う主制御装置で実行される制御である。
【００６１】
役物装置２３Ａの屋根部４２Ａは、遊技球を受ける最上部分が左右１対の平板部材（以下、適宜、屋根板という）４２１により構成され、屋根板４２１はアクチュエータ（以下、適宜、屋根アクチュエータという）７３０の駆動により上下動可能である。屋根板４２１は、上下方向に３つの位置のいずれかをとるように設定され、遊技球溜まり２３０２を構成する羽根先端部５１１ａ，５１１ｂの高さを変更可能となっている。屋根アクチュエータ７３０にはリニアモータ等を用いることができる。図５（Ａ）、図５（Ｂ）、図５（Ｃ）は、屋根板４２１が３段階に上下動したときの、それぞれの状態を示している。図５（Ａ）は屋根部４２Ａと羽根５１ａ，５１ｂとが上記第１実施形態と同様の位置関係となっており、遊技球を最大４個まで貯留可能である。これに対し、図５（Ｂ）は、屋根板４２１が図５（Ａ）の状態から下方に変位したもので、羽根先端部５１１ａ，５１１ｂの突出量が略遊技球の直径分、大きくなっている。この状態では遊技球を最大８個まで貯留可能である。また、図５（Ｃ）は、屋根板４２１が図５（Ａ）の状態から上方に変位したもので、羽根先端部５１１ａ，５１１ｂの突出量が略遊技球の直径分、小さくなっており、堰高さは略０である。この状態では遊技球は溜まらない。
【００６２】
主制御装置６１で実行される、上記屋根板４２１の制御に関する制御を図７により説明する。ステップＳ１０１ではオープンチャッカー（図７中、始動口）２１，２２ａ，２２ｂに入球があったか否かを判定し、否定判断されるとリターンに抜け、肯定判断されるとステップＳ１０２以降の処理が実行される。ステップＳ１０２では乱数が抽出される。乱数は０〜９のいずれかをとる。
【００６３】
ステップＳ１０３ではステップＳ１０２で取得された乱数が０か否かを判定し、肯定判断されると、ステップＳ１０５で貯留可能数を４とする。すなわち、図５（Ａ）の状態となるように屋根アクチュエータ７３０を駆動する。
【００６４】
ステップＳ１０３が否定判断されると、ステップＳ１０４で取得乱数が１か否かを判定し、肯定判断されると、ステップＳ１０７で貯留可能数を０とする。すなわち、図５（Ｃ）の状態となるように屋根アクチュエータ７３０を駆動する。
【００６５】
ステップＳ１０４が否定判断されると、ステップＳ１０５で取得乱数が２か否かを判定し、肯定判断されると、ステップＳ１０８で貯留可能数を８とする。すなわち、図５（Ｂ）の状態となるように屋根アクチュエータ７３０を駆動する。
【００６６】
ステップＳ１０５が否定判断されると、すなわち、取得乱数が３〜９の場合にはリターンに抜け、屋根板４２１の位置を現状維持とする。
【００６７】
したがって、このように、貯留可能数を乱数によって変えることで、遊技者が受ける感興をさらに高めることができる。
【００６８】
なお、本実施形態のように屋根板４２１が羽根５１ａ，５１ｂに対して上下方向に変位する構成をとる場合には、図８（Ａ）、図８（Ｂ）、図８（Ｃ）に示す遊技の演出も可能である。すなわち、図８（Ａ）は遊技球溜まり２３０２に遊技球が溜まっている状態であるが、所定の条件が成立すると、屋根板４２１を上昇変位させて図８（Ｂ）のように、羽根先端部５１１ａ，５１１ｂの堰高さを０とする。すると、遊技球溜まり２３０２に遊技球が溜まっていても、該遊技球は図８（Ｃ）に示すようにこぼれ落ちてしまう。かかる作動（以下、適宜、遊技球溜まり初期化という）を実行させる条件として、前回の羽根５１ａ，５１ｂの閉作動時からの経過時間や、前回の遊技球溜まり初期化からの経過時間が予め設定した時間になったら、条件成立としてもよいし、遊技球が予め設定した所定の入賞口などの遊技盤１５上の所定のポイントを通過することや、遊技履歴等を条件としてもよい。
【００６９】
遊技者はかかる事態を回避するように遊技球を狙ったり、遊技球溜まり初期化の時間がくる前に羽根５１ａ，５１ｂを開作動させようと必死になり、さらにスリリングな遊技を堪能することができる。
【００７０】
（第３実施形態）
図９（Ａ）、図９（Ｂ）、図９（Ｃ）に本発明の第３の実施形態になる弾球遊技機の役物装置を示す。また図１０に本弾球遊技機の電気的構成を示す。本実施形態は、基本的な構成は第２実施形態の構成と同じであり、第２実施形態との相違点を中心に説明する。第２実施形態との相違点は役物装置の遊技球溜まりの貯留可能数の変更手段である。
【００７１】
役物装置２３Ｂの屋根部４２は上下方向の位置が第１実施形態と同様に固定である。一方、羽根５１ａ，５１ｂは、これを揺動駆動する大入賞口ソレノイド７２１とともに、リニアモータ等のアクチュエータ（以下、適宜、羽根アクチュエータという）７３１駆動で上下動可能である。具体的には、羽根５１ａ，５１ｂや大入賞口ソレノイド７２１を保持するステージを羽根アクチュエータ７３１が上下方向に昇降させる機構により容易に実現できる。主制御装置６１では、羽根５１ａ，５１ｂが上下方向に３つの位置のいずれかをとるように設定され、遊技球溜まり２３０２を構成する羽根先端部５１１ａ，５１１ｂの突出量すなわち堰高さを変更可能となっている。
【００７２】
図９（Ａ）、図９（Ｂ）、図９（Ｃ）は、羽根５１ａ，５１ｂが３段階に上下動したときの、それぞれの状態を示している。図中、羽根５１ａ，５１ｂの回転軸の位置をＣａＡ〜ＣｂＣで示している。ＣａＡ，ＣｂＡが図９（Ａ）のときのもので、ＣａＢ，ＣｂＢが図９（Ｂ）のときのもので、ＣａＣ，ＣｂＣが図９（Ｃ）のときのものである。図９（Ａ）は屋根部４２と羽根５１ａ，５１ｂとが上記第１実施形態と同様の位置関係となっており、遊技球を最大４個まで貯留可能である。これに対し、図９（Ｂ）は、羽根５１ａ，５１ｂが図９（Ａ）の状態から上方に変位したもので、羽根先端部５１１ａ，５１１ｂの突出量が略遊技球の直径分、大きくなっている。この状態では遊技球を最大８個まで貯留可能である。また、図９（Ｃ）は、羽根５１ａ，５１ｂが図９（Ａ）の状態から下方に変位したもので、羽根先端部５１１ａ，５１１ｂの突出量が略遊技球の直径分、小さくなっており、堰高さは略０である。この状態では遊技球を貯留不能である。
【００７３】
このように、屋根部の屋根板ではなく、羽根を上下動させても第２実施形態と同等の作用を奏する。
【００７４】
なお、羽根５１ａ，５１ｂが開作動時に羽根５１ａ，５１ｂと屋根部４２との間に遊技球が通過可能に十分な隙間ができるように、屋根部４２の側面の下端部には凹部が形成されている。
【００７５】
（第４実施形態）
図１１（Ａ）、図１１（Ｂ）、図１１（Ｃ）に本発明の第４の実施形態になる弾球遊技機の役物装置を示す。また図１２に本弾球遊技機の電気的構成を示す。本実施形態は、基本的な構成は第１実施形態の構成と同じであり、第１実施形態との相違点を中心に説明する。第１実施形態との相違点は役物装置の遊技球溜まりからの遊技球の流下速度の切り換え手段を設けた点である。
【００７６】
役物装置２３Ｃの屋根部４２Ｃは、第２実施形態と同様の屋根板４２２が、図面前後方向を回転軸とするモータ（以下、適宜、屋根モータという）７３２と結合している。回転軸は羽根５１ａ，５１ｂ側にとってあり、屋根部４２Ｃの左右方向の中央部の高さが変化して、実質的に屋根部４２Ｃが中央部で折れ曲がる構造となっている。また、羽根先端部５１１ａ，５１１ｂの堰高さは傾斜角によらず略一定である。最大貯留可能数は図例のごとくいずれも４個である。図１１（Ａ）、図１１（Ｂ）、図１１（Ｃ）は、屋根板４２２が３段階に傾斜したときの、それぞれの状態を示している。図１１（Ａ）は上記第１実施形態と同じ傾斜で、図１１（Ｂ）は図１１（Ａ）よりも傾斜が急である。図１１（Ｃ）は傾斜方向が図１１（Ａ）、図１１（Ｂ）とは逆で、屋根面が、左右端ほど高くなっている。
【００７７】
図１３（Ａ）、図１３（Ｂ）、図１３（Ｃ）も屋根板４２２が３段階に傾斜したときの、それぞれの状態を示すものであるが、羽根５１ａ，５１ｂが開作動した直後の様子を示している。傾斜が急な図１３（Ｂ）では、図１３（Ａ）に比して遊技球の落下速度が速く、遊技球が一気に取込口前庭部２３０１を経て取込口２３１ａ，２３１ｂに殺到する。また、屋根板４２２が逆ハ字状となる図１３（Ｃ）は屋根板４２２だけで遊技球が保持状態となるので、貯留した遊技球は羽根５１ａ，５１ｂの開作動によっても羽根５１ａ，５１ｂに向かって流下することはない。
【００７８】
この屋根板４２２の傾斜を、第２実施形態のごとく、乱数の抽出により切り換えることで、遊技者にさらにスリリングな興趣を提供することができる。
【００７９】
（第５実施形態）
図１４（Ａ）、図１４（Ｂ）に本発明の第５の実施形態になる弾球遊技機を構成する役物装置を示す。本実施形態は、基本的な構成は第１実施形態の構成と同じであり、第１実施形態との相違点を中心に説明する。第１実施形態との相違点は、遊技球を拾う球拾片として別のものを用いた点である。
【００８０】
役物装置２３Ｄは、取込口前庭部２３０１を挟んで球拾片である羽根５３ａ，５３ｂが設けてある。羽根５３ａ，５３ｂは、左右方向に直線的にスライドする断面長方形または正方形のスライド片であり、図示しないソレノイドにより逆方向すなわち左右外方に変位する。羽根５３ａ，５３ｂの厚さは、フロア部４１と屋根部４２との間隔よりもやや薄く、少なくとも、羽根５３ａ，５３ｂの上面と屋根部４２の下面との間の間隔が遊技球１つ分よりも小さな間隔に抑えられるように羽根５３ａ，５３ｂの厚さを設定する。
【００８１】
羽根５３ａ，５３ｂは上記のごとくソレノイド駆動で左右方向に変位するが、図１４（Ａ）のように内側に位置するとき（基準状態）には、その基端面が屋根部４２の側面４２０２ａ，４２０２ｂの略直下位置にあり、羽根５３ａ，５３ｂと屋根部４２との間に遊技球が通り抜けられるほどの隙間がない。取込口前庭部２０３１は役物装置２３Ｄの外部と遮断されている。一方、図１４（Ｂ）のように外方に変位した状態では、羽根５３ａ，５３ｂの基端面が屋根部側面４２０２ａ，４２０２ｂよりも外方に位置し、遊技球が落下し得る隙間が空き、取込口前庭部２０３１の遮断状態が解除される。
【００８２】
また、羽根５３ａ，５３ｂの上面の先端側の端縁に沿って凸状段差５３１ａ，５３１ｂが設けてあり、基準状態のとき（図１４（Ａ））には、羽根５３ａ，５３ｂ上の遊技球は、この凸状段差５３１ａ，５３１ｂと、屋根部４２の側面４２０２ａ，４２０２ｂ部分とでせき止められる。すなわち、屋根部４２と羽根５３ａ，５３ｂとで、羽根５３ａ，５３ｂ上に落下した遊技球が溜まる遊技球溜まり２３０３を構成している。ここに溜まった遊技球は羽根５３ａ，５３ｂの開作動により、取込口前庭部２３０１へと流下する。
【００８３】
本実施形態でも、羽根が基準状態のときに遊技球を溜めておくという遊技を遊技者は堪能することができる。
【００８４】
なお、羽根５３ａ，５３ｂが開作動状態のときに羽根に新たに遊技球が落下すると、基本的に遊技球が取込口２３１ａ，２３１ｂに取り込まれるが、図１５（Ａ）に示すように開状態のときに遊技球が羽根５３ａ，５３ｂ上に落下した直後に、羽根５３ａ，５３ｂが閉作動すると、図１５（Ｂ）に示すように遊技球は羽根５３ａ，５３ｂの背後すなわち取込口前庭部２３０１に飛び込めず、羽根５３ａ，５３ｂが開状態のときに羽根５３ａ，５３ｂ上に落下した遊技球であるにもかかわらず、遊技球溜まり２３０１にとどめられてしまう。これは第１実施形態のような、屋根部４２上にしか遊技球が溜まらない構成のものではできない面白みのある動作であり、さらに遊技者をひきつけることができる。
【００８５】
（第６実施形態）
図１６（Ａ）、図１６（Ｂ）に本発明の第６の実施形態になる弾球遊技機を構成する役物装置を示す。本実施形態は、基本的な構成は第５実施形態の構成と同じであり、第５実施形態との相違点を中心に説明する。相違点は、屋根部の形状である。
【００８６】
第５実施形態では屋根面４２０１の左右端は閉状態の羽根５３ａ，５３ｂの基端面の直上位置にあり、閉状態において遊技球が羽根５３ａ，５３ｂの上に落下すると、そのまま溜まった。これに対して、本実施形態では、役物装置２３Ｅの屋根部４２Ｅは、その左右端部が、基準状態の羽根５３ａ，５３ｂの上に覆いかぶさるように庇状に迫り出しており、屋根部４２Ｅの左右端が基準状態の羽根５３ａ，５３ｂの上記凸状段差５３１ａ，５３１ｂの直上に位置している。
【００８７】
したがって、遊技球は羽根５３ａ，５３ｂが基準状態のときには、遊技球は遊技球溜まり２３０３に溜まらず、羽根５３ａ，５３ｂが開状態から閉作動する直前に羽根５３ａ，５３ｂ上に落下した遊技球のみが、遊技球溜まり２３０３に溜まることになる。このように、遊技球が溜まる条件を絞ることで、一瞬のタイミングを狙って入球させようとする遊技者の闘志をかきたて、よりスリリングな遊技を提供することができる。
【００８８】
（第７実施形態）
図１７（Ａ）、図１７（Ｂ）、図１７（Ｃ）に本発明の第７の実施形態になる弾球遊技機の役物装置を示す。また図１８に本弾球遊技機の電気的構成を示す。本実施形態は、基本的な構成は第５実施形態の構成と同じであり、第５実施形態との相違点を中心に説明する。第５実施形態との相違点は役物装置の屋根部の構成である。
【００８９】
役物装置２３Ｆの屋根部４２は第１実施形態等の屋根部と同等の屋根部本体４２３と、その左右にそれぞれ配置された庇部４２４ａ，４２４ｂとからなり、図１６の屋根部と実質的に同等の屋根部を構成する。庇部４２４ａ，４２４ｂは、紙面前後方向にソレノイド（以下、適宜、屋根ソレノイドという）７３３駆動により進退可能で、後退した状態（図１７（Ａ））では庇部４２４ａ，４２４ｂの前面がハウジング２３１の屋根部本体４２３取付面と同じ高さとなるように設定されており、その前を遊技球が流下可能である。進出した状態では庇部４２４ａ，４２４ｂの前面が屋根部本体４２３の前面と面一となる（図１７（Ｂ））。すなわち、庇部４２４ａ，４２４ｂが進出する図１７（Ｂ）の状態では、第６実施形態と同様に、羽根５３ａ，５３ｂが閉作動する直前に羽根５３ａ，５３ｂの上に落下した遊技球のみが遊技球溜まり２３０３に溜まり、庇部４２４ａ，４２４ｂが後退する図１７（Ａ）の状態では、第５実施形態と同様に羽根５３ａ，５３ｂが閉状態であれば、屋根部本体４２３と閉状態の羽根５３ａ，５３ｂとで形成される遊技球溜まり２３０３に遊技球を溜めることができる。
【００９０】
庇部４２４ａ，４２４ｂを進退せしめるソレノイドは主制御装置６１による駆動で作動する。庇部４２４ａ，４２４ｂの進退は例えば、第２実施形態のごとく取得乱数にしたがって進出または後退のいずれかを選択することができる。
【００９１】
（第８実施形態）
図１９に本発明の第８の実施形態になる弾球遊技機を構成する役物装置を示す。本実施形態は、基本的な構成は第１実施形態の構成と同じであり、第１実施形態との相違点を中心に説明する。第１実施形態との相違点は、遊技球が溜まる遊技球溜まりとを別の構成とした点である。
【００９２】
役物装置２３Ｇの羽根５４ａ，５４ｂは第１実施形態のものと実質的に同じ揺動片であり、羽根５４ａ，５４ｂが上方を向いた基準状態のときには、取込口２３１ａ，２３１ｂの上方の、役物装置２３Ｇの上方から落下した遊技球を遮る屋根部４２Ｇと羽根５４ａ，５４ｂとの間は、遊技球が通過不能である。一方、羽根が破線のごとく開作動すると、遊技球が屋根部４２Ｇと羽根５４ａ，５４ｂとの間を取込口前庭部２３０１に飛び込むことが可能となる。
【００９３】
本実施形態では、屋根部４２Ｇの左右の側方に、それぞれ該屋根部４２Ｇの側面と対向する仕切り部４３ａ，４３ｂが設けてある。仕切り部４３ａ，４３ｂはハウジング２３１の表面に突設された板片であり、左右方向に内側と外側とを画している。仕切り部４３ａ，４３ｂの内側すなわち屋根部４２Ｇ側の面と屋根部４２Ｇの側面との間は、遊技球Ｂが通過可能な間隔をとってある。
【００９４】
羽根５４ａ，５４ｂは、回転軸Ｃｃ，Ｃｄが屋根部４２Ｇと仕切り部４３ａ，４３ｂとの対向部の下方にとってあり、羽根５４ａ，５４ｂが閉状態である基準状態のときには、先端部５４１ａ，５４１ｂが上記対向部の直下位置まで伸び、屋根部４２Ｇおよび仕切り部４３ａ，４３ｂのそれぞれとその下方で近接している。屋根部４２Ｇと羽根５４ａ，５４ｂとの隙間、および仕切り部４３ａ，４３ｂと羽根５４ａ，５４ｂとの隙間は、遊技球が通り抜けできない程度に小さく設定されている。
【００９５】
この、羽根５４ａ，５４ｂが基準状態のとき、屋根部４２Ｇと仕切り部４３ａ，４３ｂとの対向部にある遊技球を羽根５４ａ，５４ｂの先端部５４１ａ，５４１ｂが下から受ける構造の遊技球溜まり２３０３が形成される。
【００９６】
本実施形態でも、羽根５４ａ，５４ｂが開作動すると、羽根先端部５４１ａ，５４１ｂが、屋根部４２Ｇと仕切り部４３ａ，４３ｂとの対向部の直下位置から左右の脇に逸れ、それまで遊技球溜まり２３０３に溜まっていた遊技球が遊技球溜まり２３０３の底部としての羽根５４ａ，５４ｂを外されることで落下し、取込口前庭部２３０１へと飛び込む。
【００９７】
なお、本実施形態では図２０に示すように、仕切り部４３ａ，４３ｂの上下方向の大きさを遊技球の直径よりも小さく設定してあり、遊技球溜まり２３０３に溜まっている遊技球に他の遊技球が衝突すると、はじき飛ばされやすい構造となっており、遊技者のスリル感を増すことができる。
【００９８】
また、本実施形態のものを基本として、羽根５４ａ，５４ｂを第３実施形態のごとく上下動自在に構成すると、さらに興趣豊かな遊技を遊技者に提供することができる。すなわち、羽根５４ａ，５４ｂとともにこれを揺動させるソレノイドを上下動可能とする。図２１により、かかる役物装置を備えた遊技機の作動について説明する。役物装置２３Ｇは羽根５４ａ，５４ｂを遊技球１つ分強変位可能である。図２１中、ＣｃＡ，ＣｄＡが羽根５４ａ，５４ｂが上方変位している状態のときの羽根５４ａ，５４ｂの回転軸を示し、ＣｃＢ，ＣｄＢが羽根５４ａ，５４ｂが下方変位している状態のときの羽根５４ａ，５４ｂの回転軸を示している。羽根５４ａ，５４ｂが上方変位している状態のときは図１９と実質的に同じであり、羽根５４ａ，５４ｂが遊技球１つ分強、下方変位すると、それまで遊技球溜まり２３０４に溜まっていた遊技球が遊技球溜まり２３０４の底部としての羽根を外されることで落下する。ここで、羽根５４ａ，５４ｂが下方変位した状態のときにも、羽根５４ａ，５４ｂが屋根部４２Ｇと近接するように、屋根部４２Ｇの高さを設定しておくことで、落下した遊技球は仕切り部４３ａ，４３ｂの下方から外方へと流下していく。
【００９９】
かかる構成とすることで、羽根５４ａ，５４ｂが上方に変位した状態では遊技球溜まり２３０３が機能し、羽根５４ａ，５４ｂが下方に変位した状態では遊技球溜まり２３０３が機能せず、屋根部４２Ｇと仕切り部４３ａ，４３ｂとの間が単なる遊技球の通り抜け通路としてのみ機能する。羽根５４ａ，５４ｂを上方に変位するか否かは、例えば第２実施形態のごとく乱数の抽出により決定することができる。
【０１００】
なお、上記各実施形態は第２種遊技機に適用した例を説明したが、第３種等、その他の遊技機にも適用することができる。
【０１０１】
また、上記各実施形態において遊技球溜まりの貯留最大可能数、流下速度、入球の難易、遊技球溜まりとして機能するか否か等を規定する、屋根部、羽根、庇部の駆動は、上記の乱数に基づいて切り換えるものに限られず、オープンチャッカー等の始動口への入球の順番に応じて、例えば所定回数ごとに切り換えてもよい。また、始動口への入球数や大当たり数等の遊技履歴に応じて切り換えてもよい。あるいは、始動口以外の入賞口、例えば一般入賞口や役物装置内のＶ入賞口以外の入賞口への入球をトリガーとして切り換えるか否かを判断してもよい。また、Ｖ入賞口への入球により、例えば遊技者に有利な方に切り換えるようにしてもよい。また、図柄抽選における確定図柄や決定ラウンド数に応じて決定してもよい。
【０１０２】
遊技球溜まりの構成は、上記各実施形態のものに限られるものではなく、左右の外方に変位したときに流下する遊技球を拾う拾球片が、基準状態にあるときには上記遊技球溜まりの一部分として遊技球溜まりに貯留した遊技球の落球を禁止し、上記拾球片が上記左右の外方に変位すると上記一部分が開いて、上記遊技球溜まりに滞留した遊技球を上記取込口へ向けて放出する構造のものであればよい。この、遊技球溜まりに滞留した遊技球を取込口へ向けて放出する構造には、第５実施形態のように、拾球片の左右の外方への変位時に、遊技球溜まりに滞留した遊技球が取込口へ向けて略一方向に流れて放出するものでもよいし、第１実施形態のように、拾球片の左右の外方への変位時に、遊技球溜まりに滞留した遊技球が取込口に達するまでにジグザグに方向を変えて流れて放出するものでもよい
【図面の簡単な説明】
【図１】本発明を適用した第１の弾球遊技機の全体正面図である。
【図２】上記弾球遊技機を構成する役物装置の正面図である。
【図３】上記役物装置の要部の分解斜視図である。
【図４】上記弾球遊技機の、主に制御信号の入出力関係を示す電気構成図である。
【図５】（Ａ），（Ｂ），（Ｃ）はそれぞれ本発明を適用した第２の弾球遊技機を構成する役物装置の、作動状態の異なる正面図である。
【図６】上記弾球遊技機の、主に制御信号の入出力関係を示す電気構成図である。
【図７】上記弾球遊技機の主制御装置で実行される制御プログラムの内容を示すフローチャートである。
【図８】（Ａ），（Ｂ），（Ｃ）はそれぞれ上記弾球遊技機の変形例の作動を説明する、上記変形例を構成する役物装置の、作動状態の異なる正面図である。
【図９】（Ａ），（Ｂ），（Ｃ）はそれぞれ本発明を適用した第３の弾球遊技機を構成する役物装置の、作動状態の異なる正面図である。
【図１０】上記弾球遊技機の、主に制御信号の入出力関係を示す電気構成図である。
【図１１】（Ａ），（Ｂ），（Ｃ）はそれぞれ本発明を適用した第４の弾球遊技機を構成する役物装置の、作動状態の異なる正面図である。
【図１２】上記弾球遊技機の、主に制御信号の入出力関係を示す電気構成図である。
【図１３】（Ａ）は図１１（Ａ）の状態から役物装置を構成する羽根が開作動したときの図であり、（Ｂ）は図１１（Ｂ）の状態から上記羽根が開作動したときの図であり、（Ｃ）は図１１（Ｃ）の状態から上記羽根が開作動したときの図である。
【図１４】（Ａ），（Ｂ）はそれぞれ本発明を適用した第５の弾球遊技機を構成する役物装置の、作動状態の異なる正面図である。
【図１５】（Ａ），（Ｂ）はそれぞれ上記役物装置の作動を説明する、上記役物装置の正面図である。
【図１６】（Ａ），（Ｂ）はそれぞれ本発明を適用した第６の弾球遊技機を構成する役物装置の、作動状態の異なる正面図である。
【図１７】本発明を適用した第７の弾球遊技機を構成する役物装置の、作動状態の異なる正面図である。
【図１８】上記弾球遊技機の、主に制御信号の入出力関係を示す電気構成図である。
【図１９】本発明を適用した第８の弾球遊技機を構成する役物装置の正面図である。
【図２０】上記弾球遊技機を構成する役物装置の、作動状態の異なる正面図である。
【図２１】上記弾球遊技機を構成する役物装置の変形例の正面図である。
【符号の説明】
１５  遊技盤
１５０  盤面
２１，２２ａ，２２ｂ  オープンチャッカー
２３，２３Ａ，２３Ｂ，２３Ｃ，２３Ｄ，２３Ｅ，２３Ｆ，２３Ｇ，２３Ｈ  役物装置（入球装置）
２３０１  取込口前庭部
２３０２，２３０３，２３０４  遊技球溜まり
２３１  ハウジング
２３１ａ，２３１ｂ  取込口
２４ａ，２４ｂ  普通入賞口（入球装置）
４１  フロア部
４２，４２Ａ，４２Ｆ，４２Ｇ  屋根部
４２３  屋根部本体
４２４ａ，４２４ｂ  庇部
４２１，４２２  屋根板
４２０１  屋根面
４３ａ，４３ｂ  仕切り部
５１ａ，５１ｂ，５４ａ，５４ｂ  羽根（揺動片、球拾片）
５１１ａ，５１１ｂ，５４１ａ，５４１ｂ  先端部
５２  回転体
５２１  Ｖ入賞口
５２２  通常入賞口
５３ａ，５３ｂ  羽根（スライド片、球拾片）
５３１ａ，５３１ｂ  凸状段差
【図１】
2004305633.tif 000003
【図２】
2004305633.tif 000004
【図３】
2004305633.tif 000005
【図４】
2004305633.tif 000006
【図５】
2004305633.tif 000007
【図６】
2004305633.tif 000008
【図７】
2004305633.tif 000009
【図８】
2004305633.tif 000010
【図９】
2004305633.tif 000011
【図１０】
2004305633.tif 000012
【図１１】
2004305633.tif 000013
【図１２】
2004305633.tif 000014
【図１３】
2004305633.tif 000015
【図１４】
2004305633.tif 000016
【図１５】
2004305633.tif 000017
【図１６】
2004305633.tif 000018
【図１７】
2004305633.tif 000019
【図１８】
2004305633.tif 000020
【図１９】
2004305633.tif 000021
【図２０】
2004305633.tif 000022
【図２１】
2004305633.tif 000023